(57)【要約】【課題】水平方向の解像度が良好であるとともに、色空間領域が拡大されて、色再現性が良好であり、高品位な画像が得られる表示装置を提供する。【解決手段】液晶表示パネル８においては、赤、緑、青及びシアンのサブピクセルから構成されるピクセルを有する走査ラインと、赤、緑、青及び黄のサブピクセルから構成されるピクセルを有する走査ラインとが交番的に配されている。データ変換部３は、入力された画像信号を赤、緑、青、シアン及び黄の画像データ信号に変換する。駆動波形生成部４は、水平同期信号に同期して、シアン及び黄の画像データ信号を走査ライン毎に交互に出力するためのパルス信号を生成する。信号出力制御部５には、前記画像データ信号、水平同期信号及び前記パルス信号が入力され、該水平同期信号に同期して、前記赤、緑及び青の画像データ信号、並びにシアン又は黄の画像データ信号をソース駆動部７へ出力する。【選択図】図１
2008065175.tif 000002
【特許請求の範囲】
【請求項１】
マトリクス状に配されており、走査電圧を印加された場合に、画像データ信号を受けて印加された信号電圧に基づいて表示を行なう複数のサブピクセルからなるピクセルを有する表示パネルと、
入力された画像信号を、前記サブピクセルに適合する画像データ信号に変換するデータ変換手段と、
垂直同期信号及び水平同期信号に基づき、
走査ライン毎に順次、前記サブピクセルに走査電圧を印加する走査駆動部と、
信号ライン毎に、前記サブピクセルに信号電圧を印加する信号駆動部と
を備える表示装置において、
前記表示パネルは、赤、緑、青及びシアンのサブピクセルから構成されるピクセルを有する走査ラインと、赤、緑、青及び黄のサブピクセルから構成されるピクセルを有する走査ラインとが交番的に配されており、
前記データ変換手段は、入力された画像信号を赤、緑、青、シアン及び黄の画像データ信号に変換し、
前記水平同期信号に同期して、シアン及び黄の画像データ信号を走査ライン毎に交互に出力するためのパルス信号を生成する手段と、
前記赤、緑、青、シアン及び黄の画像データ信号、水平同期信号及び前記パルス信号が入力され、該水平同期信号に同期して、前記赤、緑及び青の画像データ信号、並びにシアン又は黄の画像データ信号を前記信号駆動部へ出力する手段と
を備えることを特徴とする表示装置。
【請求項２】
マトリクス状に配されており、走査電圧を印加された場合に、画像データ信号を受けて印加された信号電圧に基づいて表示を行なう複数のサブピクセルからなるピクセルを有する表示パネルと、
垂直同期信号及び水平同期信号に基づき、
走査ライン毎に順次、前記サブピクセルに走査電圧を印加する走査駆動部と、
信号ライン毎に、前記サブピクセルに信号電圧を印加する信号駆動部と
を備える表示装置において、
前記表示パネルは、赤、緑、青及びシアンのサブピクセルから構成されるピクセルを有する走査ラインと、赤、緑、青及び黄のサブピクセルから構成されるピクセルを有する走査ラインとが交番的に配されており、
入力された画像信号を赤、緑及び青の第１画像データ信号に変換する手段と、
前記赤、緑及び青の第１画像データ信号に各々所定の係数を乗じて赤、緑及び青の第２画像データ信号を生成し、緑及び青の第１画像データ信号に各々所定の係数を乗じたものを加算してシアンの画像データ信号を生成し、赤及び緑の第１画像データ信号に各々所定の係数を乗じたものを加算して黄の画像データ信号を生成する手段と、
前記水平同期信号に同期して、シアン及び黄の画像データ信号を走査ライン毎に交互に出力するためのパルス信号を生成する手段と、
前記赤、緑及び青の第２画像データ信号、シアン及び黄の画像データ信号、水平同期信号並びに前記パルス信号が入力され、該水平同期信号に同期して、赤、緑及び青の第２画像データ信号、並びにシアン又は黄の画像データ信号を前記信号駆動部へ出力する手段と
を備えることを特徴とする表示装置。
【請求項３】
シアン及び黄のサブピクセルのうちの少なくとも一方の輝度が大きくなるように、前記シアン及び黄の画像データ信号値のうちの少なくとも一方に所定値を加算し、若しくは乗じ、又は前記信号値を補正する手段を備える請求項２に記載の表示装置。
【発明の詳細な説明】
【技術分野】
【０００１】
本発明は、複数のピクセルにより表示画面が構成される表示パネルを備える、液晶表示装置、ＰＤＰ（Plasma Display Panel）、有機・無機ＥＬ（Electroluminescent）ディスプレイ、ＳＥＤ（Surface-conduction Electron-emitter Display）等の表示装置に関する。
【背景技術】
【０００２】
従来の表示装置が備える表示パネルの１つのピクセルは、赤（以下、Ｒと称す）、緑（以下、Ｇと称す）及び青（以下、Ｂと称す）からなる３原色のサブピクセルによって構成されており、これによりカラー表示されていた。従来の表示パネルにおいては、微妙な色合いに対して自然な発色を提供することが難しく、色再現範囲が狭いため、Ｒ、Ｇ、Ｂの３原色の色純度を濃くして色再現範囲を広くすることが図られているが、この場合、色が濃くなることに起因して輝度が低下するという問題があった。
【０００３】
そこで、サブピクセル数を増やして多原色化し、色の数を４色、５色、６色等と増加させることで、液晶表示装置等の色空間領域を拡大することが図られている。しかし、これらの表示パネルでは、色再現範囲や輝度の点において有利な設計が可能となるが、色の増加とともにサブピクセルのサイズが小さくなり、ソースバスラインの数が増加し、開口率が大幅に低下してしまうという問題があった。従って、色再現範囲の拡張を実現しながら、ソースバスラインの数の増加及び開口率の低下を抑制することが出来る表示パネルが求められている。
【０００４】
特許文献１には、１ピクセルがｎ色（ｎは、４以上の整数を表す）の原色を用いたサブピクセルから構成される表示パネルの発明が開示されている。この表示パネルは、１ピクセルあたり（ｎ−１個）の割合となるトランジスタでサブピクセルを駆動する形態となっている。
【特許文献１】特開２００６−６４９９３号公報
【発明の開示】
【発明が解決しようとする課題】
【０００５】
従来の表示パネルのように、１ピクセルが４色のサブピクセルから構成される場合は、色空間領域を十分に拡張することができないという問題があった。
特許文献１においては、具体的には１ピクセルが５色のサブピクセルを含んでおり、サブピクセルのサイズが小さくなるので、水平解像度が悪くなるという問題があった。
また、液晶テレビ受像機等の液晶表示装置等において、１ピクセルに黄（以下、Ｙｅと称す）、シアン（以下、Ｃと称す）のサブピクセルが含まれない場合、色空間領域が狭く、色再現性が良くないことが確認されている。
【０００６】
本発明は、斯かる事情に鑑みてなされたものであり、表示パネルの一走査ラインの１ピクセルをＲ、Ｇ、Ｂ及びＣのサブピクセルから構成し、次の走査ラインの１ピクセルをＲ、Ｇ、Ｂ及びＹｅのサブピクセルから構成し、入力された画像信号に基づき得られたＣ及びＹｅの画像データ信号はサブピクセルの配置に対応させて走査ライン毎に交互に信号駆動部へ出力されるように構成することにより、水平方向の解像度が良好であるとともに、色空間領域が拡大されて、色再現性が良好であり、高品位な画像が得られる表示装置を提供することを目的とする。
【０００７】
また、本発明は、表示パネルの一走査ラインの１ピクセルをＲ、Ｇ、Ｂ及びＣのサブピクセルから構成し、次の走査ラインの１ピクセルをＲ、Ｇ、Ｂ及びＹｅのサブピクセルから構成し、入力された画像信号を変換して得られたＲ、Ｇ及びＢの画像データ信号に基づき生成したＣ及びＹｅの画像データ信号は、サブピクセルの配置に対応して走査ライン毎に交互に信号駆動部へ出力されるように構成することにより、水平方向の解像度が良好であるとともに、色空間領域が拡大されて、色再現性が良好であり、高品位な画像が得られる表示装置を提供することを目的とする。
【０００８】
そして、本発明は、Ｃ及びＹｅのサブピクセルのうちの少なくとも一方の輝度が大きくなるように、Ｃ及びＹｅの画像データ信号値のうちの少なくとも一方に所定値を加算し、若しくは乗じ、又は前記信号値を補正する手段を備えることにより、Ｒ、Ｇ及びＢ各々のサブピクセルの数の２分の１であるＣ及びＹｅのサブピクセルのうちの少なくとも一方の輝度が大きくなり、全体的な輝度のバランスが良好になる表示装置を提供することを目的とする。
【課題を解決するための手段】
【０００９】
本発明に係る表示装置は、マトリクス状に配されており、走査電圧を印加された場合に、画像データ信号を受けて印加された信号電圧に基づいて表示を行なう複数のサブピクセルからなるピクセルを有する表示パネルと、入力された画像信号を、前記サブピクセルに適合する画像データ信号に変換するデータ変換手段と、垂直同期信号及び水平同期信号に基づき、走査ライン毎に順次、前記サブピクセルに走査電圧を印加する走査駆動部と、信号ライン毎に、前記サブピクセルに信号電圧を印加する信号駆動部とを備える表示装置において、前記表示パネルは、赤、緑、青及びシアンのサブピクセルから構成されるピクセルを有する走査ラインと、赤、緑、青及び黄のサブピクセルから構成されるピクセルを有する走査ラインとが交番的に配されており、前記データ変換手段は、入力された画像信号を赤、緑、青、シアン及び黄の画像データ信号に変換し、前記水平同期信号に同期して、シアン及び黄の画像データ信号を走査ライン毎に交互に出力するためのパルス信号を生成する手段と、前記赤、緑、青、シアン及び黄の画像データ信号、水平同期信号及び前記パルス信号が入力され、該水平同期信号に同期して、前記赤、緑及び青の画像データ信号、並びにシアン又は黄の画像データ信号を前記信号駆動部へ出力する手段とを備えることを特徴とする。
【００１０】
本発明の表示装置においては、１ピクセルが４色のサブピクセルから構成されており、入力された画像信号を変換して得られた赤、緑、青、シアン及び黄の信号のうち、シアン及び黄の信号はサブピクセルの配置に対応して走査ライン毎に交互に出力されるように構成されているので、１ピクセルが５色以上のサブピクセルから構成される場合と比較して、水平方向の解像度及び開口率が良好であるとともに、１ピクセルに黄又はシアンのサブピクセルが含まれるので、色空間領域を拡大して、色再現性を良好にすることが出来る。
また、輝度が大きい黄又はシアンが含まれるので、全体的な輝度が向上し、赤、緑及び青の彩度が良好になり、色がシャープになり、深み及びコントラストが増す。
【００１１】
本発明に係る表示装置は、マトリクス状に配されており、走査電圧を印加された場合に、画像データ信号を受けて印加された信号電圧に基づいて表示を行なう複数のサブピクセルからなるピクセルを有する表示パネルと、垂直同期信号及び水平同期信号に基づき、走査ライン毎に順次、前記サブピクセルに走査電圧を印加する走査駆動部と、信号ライン毎に、前記サブピクセルに信号電圧を印加する信号駆動部とを備える表示装置において、前記表示パネルは、赤、緑、青及びシアンのサブピクセルから構成されるピクセルを有する走査ラインと、赤、緑、青及び黄のサブピクセルから構成されるピクセルを有する走査ラインとが交番的に配されており、入力された画像信号を赤、緑及び青の第１画像データ信号に変換する手段と、前記赤、緑及び青の第１画像データ信号に各々所定の係数を乗じて赤、緑及び青の第２画像データ信号を生成し、緑及び青の第１画像データ信号に各々所定の係数を乗じたものを加算してシアンの画像データ信号を生成し、赤及び緑の第１画像データ信号に各々所定の係数を乗じたものを加算して黄の画像データ信号を生成する手段と、前記水平同期信号に同期して、シアン及び黄の画像データ信号を走査ライン毎に交互に出力するためのパルス信号を生成する手段と、前記赤、緑及び青の第２画像データ信号、シアン及び黄の画像データ信号、水平同期信号並びに前記パルス信号が入力され、該水平同期信号に同期して、赤、緑及び青の第２画像データ信号、並びにシアン又は黄の画像データ信号を前記信号駆動部へ出力する手段とを備えることを特徴とする。
【００１２】
本発明の表示装置においては、１ピクセルが４色のサブピクセルから構成されており、入力された画像信号を変換して得られた赤、緑及び青の画像データ信号に基づき生成したシアン及び黄の画像データ信号は、サブピクセルの配置に対応して走査ライン毎に交互に出力されるように構成されているので、１ピクセルが５色以上のサブピクセルから構成される場合と比較して、水平方向の解像度及び開口率が良好であるとともに、１ピクセルに黄又はシアンのサブピクセルが含まれるので、色空間領域を拡大して、色再現性を良好にすることが出来る。
また、輝度が大きい黄又はシアンが含まれるので、全体的な輝度が向上し、赤、緑及び青の彩度が良好になり、色がシャープになり、深み及びコントラストが増す。
【００１３】
本発明に係る表示装置は、シアン及び黄のサブピクセルのうちの少なくとも一方の輝度が大きくなるように、前記シアン及び黄の画像データ信号値のうちの少なくとも一方に所定値を加算し、若しくは乗じ、又は前記信号値を補正する手段を備えることを特徴とする。
【００１４】
本発明の表示装置においては、シアン及び黄のサブピクセルは、走査ラインに交互に配されているので、その数は赤、緑及び青それぞれのサブピクセルの数の２分の１であるがシアン及び黄のサブピクセルのうちの少なくとも一方の輝度が大きくなるように、シアン及び黄の画像データ信号値のうちの少なくとも一方に所定値を加算し、若しくは乗じ、又は信号値が補正されるので、全体的な輝度のバランスが良好になる。
【発明の効果】
【００１５】
本発明によれば、表示パネルの一走査ラインの１ピクセルをＲ、Ｇ、Ｂ及びＣのサブピクセルから構成し、次の走査ラインの１ピクセルをＲ、Ｇ、Ｂ及びＹｅのサブピクセルから構成し、入力された画像信号に基づき得られたＣ及びＹｅの画像データ信号は走査ライン毎に交互に信号駆動部へ出力されるように構成されているので、水平方向の解像度が良好であるとともに、色空間領域が拡大されて、色再現性が良好である。
従って、この表示装置をハイビジョンテレビ受像機等の表示装置に適用した場合、高品位な画像を提供することが出来る。
【００１６】
また、本発明によれば、表示パネルの一走査ラインの１ピクセルをＲ、Ｇ、Ｂ及びＣのサブピクセルから構成し、次の走査ラインの１ピクセルをＲ、Ｇ、Ｂ及びＹｅのサブピクセルから構成し、入力された画像信号を変換して得られたＲ、Ｇ及びＢの画像データ信号に基づき生成したシアン及び黄の画像データ信号が、サブピクセルの配置に対応して、走査ライン毎に交互に信号駆動部へ出力されるように構成されているので、水平方向の解像度が良好であるとともに、色空間領域が拡大されて、色再現性が良好である。
従って、この表示装置をハイビジョンテレビ受像機等の表示装置に適用した場合、高品質な画像を提供することが出来る。
【００１７】
そして、本発明によれば、Ｃ及びＹｅのサブピクセルのうちの少なくとも一方の輝度が大きくなるように、シアン及び黄の画像データ信号値のうちの少なくとも一方に所定値を加算し、若しくは乗じ、又は前記信号値を補正する手段を備えているので、Ｒ、Ｇ及びＢそれぞれのサブピクセルの数の２分の１であるＣ及びＹｅのサブピクセルのうちの少なくとも一方の輝度が大きくなり、全体的な輝度のバランスが良好になる。
従って、この表示装置をハイビジョンテレビ受像機等の表示装置に適用した場合、良好な映像の解像度を有した状態で、色空間領域を広げることが出来、高輝度な画像を提供することが出来る。
【発明を実施するための最良の形態】
【００１８】
以下、本発明をその実施の形態を示す図面に基づき具体的に説明する。
実施の形態１．
図１は、本発明の実施の形態１に係る表示装置としての液晶表示装置１の構成を示すブロック図である。
【００１９】
液晶表示装置１は、例えば、ＰＣ、カメラ及びＴＶチューナー等の画像データを出力する機器に接続され、又は備えられるものであり、データ入力部２、データ変換部３、駆動波形生成部４、信号出力制御部５、ゲート駆動部６（ゲートドライバ）、ソース駆動部７（ソースドライバ）、液晶表示パネル８、及びバックライト９（図３参照）を備えている。
【００２０】
データ入力部２は、画像データを出力する機器から入力された画像信号を、液晶表示パネル８の解像度に対応させてデジタル信号に変換する回路であり、変換したデジタル信号をデータ変換部３へ出力する。
【００２１】
データ変換部３は、入力されたデジタル信号を、液晶表示パネル８のサブピクセルに適合するように変換する回路であり、変換して得られたＲ、Ｇ、Ｂ、Ｃ、Ｙｅの画像データ信号を信号出力制御部５へ出力する。
ここで、Ｒ、Ｇ、Ｂ、Ｃ、Ｙｅの画像データ信号（−γ、γ補正前）は、以下の式を満たす。
Ｒ＝Ｙ＋1.40200×Ｃｒ（Ｖ）
Ｇ＝Ｙ−0.34414×Ｃｂ（Ｕ）−0.71414×Ｃｒ（Ｖ）
Ｂ＝Ｙ＋1.77200×Ｃｂ（Ｕ）
但し、Ｙ：輝度信号、Ｃｒ（Ｖ）：Ｒの差分信号、Ｃｂ（Ｕ）：Ｂの差分信号とする。
そして、下記の式によりＲ、Ｇ、ＢからＣ、Ｙｅに変換される。
Ｃ＝Ｋcb×Ｂ＋Ｋcg×Ｇ
Ｙｅ＝Ｋyer×Ｒ＋Ｋyeg×Ｇ
但し、Ｋcb：ＣのＢについての係数、Ｋcg：ＣのＧについての係数、Ｋyer：ＹｅのＲについての係数、Ｋyeg：ＹｅのＧについての係数とする。
なお、Ｃ、Ｙｅについての上記の式は、Ｒ、Ｇ、ＢからＣ、Ｙｅに変換する一例であり、他の方法によりＲ、Ｇ、ＢからＣ、Ｙｅに変換し、又はＣ、Ｙｅを生成することにしてもよい。
【００２２】
駆動波形生成部４は、データ入力部２により入力された画像信号に基づき、ゲート駆動部６及びソース駆動部７を駆動させるための垂直同期信号、水平同期信号、並びに水平同期信号に同期してＣ及びＹｅの画像データ信号をゲートバスライン（走査ライン）毎に交互に出力するためのパルス信号を生成して、その信号をゲート駆動部６及び信号出力制御部５へ出力する。
なお、垂直同期信号は１フレーム周期毎に出力されるパルス信号であり、水平同期信号は１ライン走査周期毎に出力されるパルス信号である。
【００２３】
図２は、駆動波形生成部４によって生成される垂直同期信号、水平同期信号、並びに水平同期信号に同期してＣ及びＹｅの画像データ信号をゲートバスライン毎に交互に出力するためのパルス信号を示す波形図であり、（ａ）は垂直同期信号、（ｂ）は水平同期信号、（ｃ）は前記パルス信号を示す波形図である。図中、Ｖはフレーム周期であり、Ｈはライン走査周期である。
後述するように、液晶表示パネル８は、Ｒ、Ｇ、Ｂ及びＣのサブピクセルから構成されるピクセルを有するゲートバスラインと、Ｒ、Ｇ、Ｂ及びＹｅのサブピクセルから構成されるピクセルを有するゲートバスラインとが交番的に配されているので、前記パルス信号においては、サブピクセルの配置に対応して、ライン走査周期の１周期目にはＣの画像データ信号が、２周期目にはＹｅの画像データ信号が出力されるように構成されている。
【００２４】
ゲート駆動部６は、液晶表示パネル８の後述するＴＦＴ（Thin Film Transistor）８２を開閉させる信号を生成する回路であり、液晶表示パネル８の各ゲートバスラインに順次、走査電圧を印加する。
【００２５】
ソース駆動部７は、画像データ信号に基づき、液晶表示パネル８の各サブピクセルに印加するための信号電圧を生成する回路であり、液晶表示パネル８の各ソースバスライン（信号ライン）に信号電圧を印加する。
【００２６】
駆動波形生成部４で生成された前記パルス信号に基づき、信号出力制御部５は、入力されたＲ、Ｇ、及びＢの画像データ信号、並びにＣ及びＹｅの画像データ信号のうちの一方の画像データ信号を水平同期信号に同期させて、ゲートバスライン毎にソース駆動部７へ出力する。
【００２７】
図３は、液晶表示パネル８の概略構成を示すブロック図である。
液晶表示パネル８のＴＦＴ基板８１の一面には、サブピクセル領域毎に、ＴＦＴ８２及び画素電極８３が形成されている。ＴＦＴ８２及び画素電極８３を覆うように液晶層８４が形成され、液晶分子が封入されている。ＴＦＴ８２は、ＦＥＴ（電界効果型トランジスタ）等からなり、ゲート電極がゲートバスラインに接続され、ソース電極が画素電極８３に接続されている。
【００２８】
カラーフィルタ基板８６の一面にはカラーフィルタ部８７が形成されており、カラーフィルタ基板８６は、カラーフィルタ部８７を液晶層８４に対向させて配置されている。カラーフィルタ部８７のＴＦＴ基板８１側の面を覆うように、対向電極８５が形成されている。
【００２９】
図４は、カラーフィルタ部８７の一部を示す平面図である。
カラーフィルタ部８７は、カラーフィルタ基板８６上に形成された、Ｒ、Ｇ、Ｂ、Ｃ、Ｙｅの５色に対応する５つのサブピクセル領域と、各サブピクセル領域を隔離するブラックマトリクス８７６とからなる。
ゲートバスラインの１ライン目のサブピクセル領域には、Ｒのカラーフィルタ層８７１、Ｇのカラーフィルタ層８７２、Ｂのカラーフィルタ層８７３、及びＣのカラーフィルタ層８７４がそれぞれ形成されており、２ライン目のサブピクセル領域には、Ｒのカラーフィルタ層８７１、Ｇのカラーフィルタ層８７２、Ｂのカラーフィルタ層８７３、及びＹｅのカラーフィルタ層８７５がそれぞれ形成されており、Ｃのカラーフィルタ層８７４と黄のカラーフィルタ層８７５とが垂直方向に交互に配されている。
一組のＴＦＴ８２、画素電極８３、カラーフィルタ層、対向電極８５と、これらの間に挟まれた液晶層８４により、サブピクセルが構成される。
【００３０】
図３において、カラーフィルタ基板８６及びＴＦＴ基板８１の外側の面には、それぞれ偏光板８８、８９が形成されている。偏光板８９の外側には、バックライト９が配されている。
バックライト９は、光源であり、このバックライト９から発した光の透過量を変化させることにより、液晶表示パネル８に像が表示される。
【００３１】
図５は、液晶表示パネル８の駆動回路の一部を示す模式図である。
上述したように、１ライン目のゲートバスラインＨＬ１のピクセルは、Ｒ、Ｇ、Ｂ、Ｃのサブピクセルからなり、次ラインのゲートバスラインＨＬ２のピクセルは、Ｒ、Ｇ、Ｂ、Ｙｅのサブピクセルからなり、Ｃ及びＹｅのサブピクセルは垂直方向に交互に配されている。
【００３２】
ゲート駆動部６は、各ゲートバスラインＨＬ１、ＨＬ２、ＨＬ３、ＨＬ４、…に順次、電圧を印加する。ゲートバスラインに電圧が印加されると、該ゲートバスラインにゲートが接続されている前記ＴＦＴ８２（図示せず）がオン状態になる。
【００３３】
上述したように、ソース駆動部７には、信号出力制御部５から、水平同期信号に対応するゲートバスラインＨＬ１、ＨＬ２、ＨＬ３、ＨＬ４、…各々におけるＲ、Ｇ及びＢの画像データ信号、並びにＣ又はＹｅの画像データ信号が入力され、ソース駆動部７は、ゲートバスラインＨＬ１、ＨＬ２、ＨＬ３、ＨＬ４、…に対応して、Ｒ用、Ｇ用及びＢ用のソースバスライン、並びにＣ用又はＹｅ用のソースバスラインに、前記画像データ信号に基づく信号電圧を印加する。
ＴＦＴ８２がオン状態になると、ソース駆動部７により印加されたＲ用、Ｇ用及びＢ用のソースバスライン、並びにＣ用又はＹｅ用のソースバスラインの信号電圧がＴＦＴ８２を介して前記画素電極８３（図示せず）へ充電され、画素電極８３と前記対向電極８５（図示せず）との間の電圧により前記液晶層８４（図示せず）の液晶分子の配置が変化し、バックライト９から入射される光の透過量が変化して、表示が行われる。
【００３４】
以上のように構成された本実施の形態の液晶表示装置１においては、１ピクセルが４色のサブピクセルからなり、入力された画像信号に基づき得られたＲ、Ｇ、Ｂ、Ｃ及びＹｅの画像データ信号のうち、Ｃ及びＹｅの画像データ信号は液晶表示パネル８のサブピクセルの配置に対応して、ゲートバスライン毎に交互に出力されるように構成されているので、１ピクセルが５色以上のサブピクセルからなる場合と比較して、水平方向の解像度及び開口率が良好であり、しかも１ピクセルにＣ又はＹｅのサブピクセルが含まれるので、色空間領域を拡大して、色再現性を良好にすることが出来る。
また、輝度が大きいＣ又はＹｅが含まれるので、全体的な輝度が向上し、Ｒ、Ｇ及びＢの彩度が良好になり、色がシャープになり、深み及びコントラストが増す。
従って、この液晶表示装置１をハイビジョンテレビ受像機等の液晶表示装置に適用した場合、高品位な画像が得られる。
【００３５】
なお、前記実施の形態においては、ゲートバスラインＨ１のピクセルは、Ｒ、Ｇ、Ｂ、Ｃ、Ｒ、Ｇ、Ｂ、Ｃ、…のサブピクセルからなり、ゲートバスラインＨ２のピクセルは、Ｒ、Ｇ、Ｂ、Ｙｅ、Ｒ、Ｇ、Ｂ、Ｙｅ、…のサブピクセルからなるストライプ配列にした場合につき説明しているがこれに限定されるものではなく、ＣのサブピクセルにはＢ及びＧのサブピクセルが隣接するようにし、ＹｅのサブピクセルにはＧ及びＲのサブピクセルが隣接するように配してもよい。これにより、良好に混色され、きめ細かく色再現され得る。
【００３６】
実施の形態２．
図６は、本発明の実施の形態２に係る表示装置としての液晶表示装置１１の構成を示すブロック図である。図中、図１と同一部分は同一符号を付して説明を省略する。
【００３７】
液晶表示装置１１は、例えば、ＰＣ、カメラ及びＴＶチューナー等の画像データを出力する機器に接続され、又は備えられるものであり、データ入力部１２、データ変換部１３、駆動波形生成部４、演算部１４、信号出力制御部１５、ゲート駆動部６、ソース駆動部７、液晶表示パネル８、及びバックライト（図示せず）を備えている。
【００３８】
データ入力部１２は、画像データを出力する機器から入力された画像信号を、液晶表示パネル８の解像度のデジタル信号に変換する回路であり、変換したデジタル信号をデータ変換部１３へ出力する。
【００３９】
データ変換部１３は、ピクセル単位のデータを、液晶表示パネル８のサブピクセルに適合するようにデータを変換する回路であり、変換して得られたＲ、Ｇ及びＢの第１画像データ信号を演算部１４へ出力する。
【００４０】
駆動波形生成部４は、実施の形態１と同様に、ゲート駆動部６及びソース駆動部７を駆動させるための垂直同期信号、水平同期信号、並びに水平同期信号に同期してＣ及びＹｅの画像データ信号をゲートバスライン毎に交互に出力するためのパルス信号を生成して、その信号をゲート駆動部６及び信号出力制御部１５へ出力する。
液晶表示パネル８は実施の形態１の図３乃至図５に示した構成と同一の構成を有し、実施の形態１と同様に、液晶表示パネル８のゲートバスラインの１ライン目にはＣのサブピクセルが、２ライン目にはＹｅのサブピクセルが配されているので、前記パルス信号においては、走査ライン周期の１周期目にはＣの画像データ信号が、２周期目にはＹｅの画像データ信号が出力されるように構成されている。
【００４１】
ゲート駆動部６は、液晶表示パネル８の各ゲートバスラインに電圧を印加し、ソース駆動部７は、液晶表示パネル８の各ソースバスラインに信号電圧を印加する。
【００４２】
演算部１４は、入力されたＲ、Ｇ及びＢの第１画像データ信号に基づき、Ｒ、Ｇ及びＢの第２画像データ信号Ｒ′、Ｇ′、及びＢ′、並びにＣ及びＹｅの画像データ信号を求める。
Ｒ′、Ｇ′及びＢ′、並びにＣ及びＹｅは以下の式（１）〜（５）により求められる。
Ｒ′＝Ｒ×（１−Ｋ4 ・δ）                                  …式（１）
Ｇ′＝Ｇ×（１−Ｋ1 ・β−Ｋ3 ・γ）                        …式（２）
Ｂ′＝Ｂ×（１−Ｋ2 ・α）                                  …式（３）
Ｃ＝Ｇ×Ｋ1 ＋Ｂ×Ｋ2                                       …式（４）
Ｙｅ＝Ｒ×Ｋ4 ＋Ｇ×Ｋ3                                     …式（５）
但し、Ｋ1 、Ｋ2 、Ｋ3 、Ｋ4 、α、β、δ、γは所定の係数である。
【００４３】
演算部１４は、求めたＲ、Ｇ及びＢの第２画像データ信号Ｒ′、Ｇ′、及びＢ′、並びにＣ及びＹｅの画像データ信号を信号出力制御部１５へ出力する。
【００４４】
上述したように、１ライン目のゲートバスラインＨＬ１のピクセルは、Ｒ、Ｇ、Ｂ、Ｃのサブピクセルからなり、次ラインのゲートバスラインＨＬ２のピクセルは、Ｒ、Ｇ、Ｂ、Ｙｅのサブピクセルからなり、Ｃ及びＹｅのサブピクセルが垂直方向に交互に配されているので、信号出力制御部１５は、これに対応させて駆動波形生成部４で生成された前記パルス信号に基づき、第２画像データ信号Ｒ′、Ｇ′、及びＢ′、並びにＣ又はＹｅの画像データ信号を水平同期信号に同期させてソース駆動部７へ出力する。
【００４５】
本実施の形態においては、１ピクセルが４色のサブピクセルからなり、入力されたＲ、Ｇ、及びＢの画像データ信号に基づき生成したＣ及びＹｅの画像データ信号はゲートバスライン毎に交互に出力されるように構成されているので、１ピクセルが５色以上のサブピクセルからなる場合と比較して、水平方向の解像度及び開口率が良好であるとともに、１ピクセルにＣ又はＹｅのサブピクセルが含まれるので、色空間領域を拡大して、色再現性を良好にすることが出来る。
また、輝度が大きいＣ又はＹｅが含まれるので、全体的な輝度が向上し、Ｒ、Ｇ及びＢの彩度が良好になり、色がシャープになり、深み及びコントラストが増す。
従って、この液晶表示装置１１をハイビジョンテレビ受像機等の液晶表示装置に適用した場合、高品位な画像が得られる。
【００４６】
実施の形態３．
図７は、本発明の実施の形態３に係る表示装置としての液晶表示装置１７の構成を示すブロック図である。図中、図６と同一部分は同一符号を付して説明を省略する。
本実施の形態の液晶表示装置１７は、液晶表示装置１１の演算部１４の代わりに演算部１８を備えている。
【００４７】
演算部１８は、入力されたＲ、Ｇ及びＢの第１画像データ信号に基づき、Ｒ、Ｇ及びＢの第２画像データ信号Ｒ′、Ｇ′、及びＢ′、並びにＣ及びＹｅの画像データ信号を前記式（１）〜（５）により求める。
そして、式（４）により求められたＣの画像データ信号値に所定値を加算し、若しくは乗じ、又はＣの画像データ信号値を所定の計算式により補正してＣ′を得る。一例としてＣ′＝２Ｃとされる。
また、式（５）により求められたＹｅの画像データ信号値に所定値を加算し、若しくは乗じ、又はＹｅの画像データ信号値を所定の計算式により補正してＹｅ′を得る。一例としてＹｅ′＝２Ｙｅとされる。
【００４８】
信号出力制御部１５は、液晶表示パネル８のサブピクセルの配置に対応させて駆動波形生成部４で生成された前記パルス信号に基づき、第２画像データ信号Ｒ′、Ｇ′、及びＢ′、並びにＣ′又はＹｅ′の画像データ信号を水平同期信号に同期させてソース駆動部７へ出力する。
【００４９】
Ｃ及びＹｅのサブピクセルは、ゲートバスラインの垂直方向に交互に配されているので、その数はＲ、Ｇ及びＢ各々のサブピクセルの数の２分の１である。
上述したように、Ｒ、Ｇ、Ｂ、Ｃ、Ｙｅの画像データ信号には輝度信号Ｙが含まれており、本実施の形態によれば、Ｃ及びＹｅの画像データ信号値に所定値を加算し、若しくは乗じ、又は前記信号値を補正してＣ′及びＹｅ′を得るので、Ｃ′及びＹｅ′の輝度信号値は大きく、Ｃ及びＹｅのサブピクセルの輝度が大きくなり、全体的な輝度のバランスが良好になる。Ｃ′＝２Ｃ、Ｙｅ′＝２Ｙｅとなるようにした場合は、輝度がより均一になる。
従って、この液晶表示装置をハイビジョンテレビ受像機等の液晶表示装置に適用した場合、良好な映像の解像度を有した状態で、色空間領域を広げることが出来、高輝度な画像が得られる。
【００５０】
なお、本実施の形態においては、Ｃ及びＹｅの両方の画像データ信号値に所定値を加算し、若しくは乗じ、又は前記信号値を補正してＣ′及びＹｅ′を得た場合につき説明しているがこれに限定されるものではなく、Ｃ及びＹｅの一方の画像データ信号値に所定値を加算し、若しくは乗じ、又は前記信号値を補正することにしてもよい。但し、Ｃ及びＹｅの両方の画像データ信号値に所定値を加算し、若しくは乗じ、又は前記信号値を補正する方が全体的な輝度のバランスが良好になる。
また、増幅器を用いて、Ｃ及びＹｅの少なくとも一方の画像データ信号値に所定値を加算し、若しくは乗じ、又は前記信号値を補正することにしてもよい。
【００５１】
前記実施の形態１乃至３においては、バックライトを備える液晶表示装置に適用した場合につき説明しているがこれに限定されるものではなく、自発光型の液晶表示装置に適用してもよい。また、本発明は、ＰＤＰ、有機・無機ＥＬディスプレイ、ＳＥＤ等の表示装置に適用することが可能である。この場合、カラーフィルタ部が不要である。
【図面の簡単な説明】
【００５２】
【図１】本発明の実施の形態１に係る表示装置としての液晶表示装置の構成を示すブロック図である。
【図２】駆動波形生成部によって生成される垂直同期信号、水平同期信号、並びに水平同期信号に同期してＣ及びＹｅの画像データ信号をゲートバスライン毎に交互に出力するためのパルス信号を示す波形図である。
【図３】液晶表示パネルの概略構成を示すブロック図である。
【図４】カラーフィルタ部の一部を示す平面図である。
【図５】液晶表示パネルの駆動回路の一部を示す模式図である。
【図６】本発明の実施の形態２に係る表示装置としての液晶表示装置の構成を示すブロック図である。
【図７】本発明の実施の形態３に係る表示装置としての液晶表示装置の構成を示すブロック図である。
【符号の説明】
【００５３】
１、１１、１７  液晶表示装置
２、１２  データ入力部
３、１３  データ変換部
４  駆動波形生成部
５、１５  信号出力制御部
６  ゲート駆動部
７  ソース駆動部
８  液晶表示パネル
８１  ＴＦＴ基板
８２  ＴＦＴ
８３  画素電極
８４  液晶層
８５  対向電極
８６  カラーフィルタ基板
８７  カラーフィルタ部
８７１、８７２、８７３、８７４、８７５  カラーフィルタ層
８７６  ブラックマトリクス
８８、８９  偏光板
９  バックライト
１４、１８  演算部
【図１】
2008065175.tif 000003
【図２】
2008065175.tif 000004
【図３】
2008065175.tif 000005
【図４】
2008065175.tif 000006
【図５】
2008065175.tif 000007
【図６】
2008065175.tif 000008
【図７】
2008065175.tif 000009